(57)【要約】      （修正有）【課題】  フランジ部のあちらこちらに気泡溜り等がなく美観に優れ、小分け時にピンホールの生じない小分け用包装体を提供する。【解決手段】  一枚の平板状の可撓性部材で形成され複数の整列した内容物充填ポケット２，２，・・の開口部を硬質材からなる平板状の蓋で固着密閉してあるフランジ付の小分け用包装体において、隣接する前記充填ポケット２，２，・・部間の夫々のフランジ部を繋ぐ境界域をその長手方向の所定区間にわたり前記可撓性部材と蓋との未シール部区間５，５，・・として形成するとともに該区間を前記境界域の中央線に沿って截断してあり、併せて該未シール部区間５，５，・・の外周囲に弱シール域６，６，・・を形成してある小分け用包装体１とする。【選択図】  図１
2005035655.tif 000002
【特許請求の範囲】
【請求項１】
一枚の平板状の可撓性部材で形成され、複数の整列した内容物充填ポケットの開口部を硬質材からなる平板状の蓋で固着密閉してあるフランジ付の小分け用包装体において、隣接する前記充填ポケット部間の夫々のフランジ部を繋ぐ境界域をその長手方向の所定区間にわたり、前記可撓性部材と蓋との未シール部区間として形成すると共に該区間を前記境界域の中央線に沿って截断してあり、併せて該未シール部区間の外周囲に弱シール域を形成してあることを特徴とする小分け用包装体。
【請求項２】
前記フランジ部が交差する十字路域の中央部にはその周囲を切離可能に截断してある略菱形状の弱シール部が形成され、該弱シール部の周囲を略十字状の未シール部域で囲み形成してある請求項１記載の小分け用包装体。
【請求項３】
可撓性部材で形成された内容物充填ポケットの開口部を硬質材からなる平板状の蓋で固着密閉してあるフランジ付の包装体において、前記フランジの外周側端部にはその所定区間にわたり前記可撓性部材と蓋との未シール部区間を形成してあることを特徴とするフランジ付包装体。
【請求項４】
未シール部区間はフランジ外周の所定位置に少なくとも４箇所以上形成してある請求項３記載のフランジ付包装体。
【発明の詳細な説明】
【発明の詳細な説明】
【技術分野】
【０００１】  本発明は小分け用包装体及びフランジ付包装体に関し、詳しくは、複数のフランジ付包装体に分離できる小分け用包装体において、ヒートシール時に各々のフランジ部に散在して滞留する多数の気泡等が特定域に集結するようにフランジの連結部に気泡溜用の未シール部域を形成してある小分け用包装体及びこれらを切離（モギリ）して得られるフランジ付包装体に関する。
【背景技術】
【０００２】  可撓性部材で形成された複数の内容物充填ポケットの開口部を硬質材の蓋で密閉した包装体を製するには、その製造装置として、例えば特許文献１に記載の充填シール機が公知である。小分け用包装体を製する際には、この装置を用いてフランジ部を下側のシーリングダイスと上側のパッドの間で狭圧縮し、蓋の裏面と充填ポケットとを加熱シールするものである。
このように、上下から接触面が平坦なシールバーを用いて可撓性部材であるプラスチックフィルム等を押圧シールするとシール部（フランジ部）に多数の気泡が散在して残留したり、時には内容物の種類によって蒸気等が粒状に溜まることがある。このような押圧シール部における現象を解決するための一技法として特許文献２には、ヒートシールバーのフィルムとの接触面の形状を曲面にすることでシール部に発生する気泡をヒートシールバーの押圧力でシール部の側方へ絞り出しそのまま停留しないようにすることが提案されている。
【特許文献１】  特公平７−２３１２８号公報（第５頁第９欄２３行〜３１行目、第１０図）
【特許文献２】  特開２０００−８１２１６号公報（第２頁第１欄４２行〜４６行目、第１図）
【発明が解決しようとする課題】
【０００３】  しかしながら、特許文献１に記載の装置で小分け包装体を従来どおりに製造すると、先述したようにフランジ部に気泡が滞留し見栄えのよくない製品となる。また、近年は製品をフランジ付包装体として個別に切離さずにそのまま複数個を連結したまま１単位として製品化して販売に供する傾向がある。そのため、フランジ部の気泡滞留は美観上とピンホール発生要因上極めて好ましくないものとなる。その理由は、熱シール時にフランジ部に狭圧され停留した気泡や蒸気は熱シール完了後に残熱により膨張し、先に圧着したシール部を剥がしてシール不良箇所を形成する要因となるためである。このことは、ランダムの箇所に散在する気泡溜りが充填ポケットの開口部に近い所に生ずる際に顕著であり、使用時に包装体を個々に切離した時にピンポールの起きる原因となるためである。
【０００４】  ところで、特許文献２に提案されているシール部に気泡溜を発生させない先述の技法は、パウチのようにシール部が袋体の一方のみの辺をシールしたり、可撓性のフィルム同士をシールする場合には適するものであるが、四方にフランジ部（熱シール部）があり、硬質材の蓋で密閉された本題のような小分け用包装体の製造に用いるには構造上の無理があり不適である。
従って、未だ小分け用包装体においてそのフランジ部に気泡を完全になくしシール不良によるピンホール発生を抑止した製品は市場に提供されていない。
本発明は以上の問題点に鑑みなされたもので、フランジ部における気泡溜りの散在によるシール不良をなくし外観も優れた小分け用包装体を提供するとともに、これらを切離（モギリ）して得られる個別の包装体をピンホール発生のない識別性豊かなフランジ付包装体を提供することを目的とする。
【課題を解決するための手段】
【０００５】  即ち、本願第１発明の小分け用包装体は、一枚の平板状の可撓性部材で形成され複数の整列した内容物充填ポケットの開口部を硬質材からなる平板状の蓋で固着密閉してなるフランジ付の小分け用包装体において、隣接する前記充填ポケット部間の夫々のフランジ部を繋ぐ境界域をその長手方向の所定区間にわたり前記可撓性部材と蓋との未シール部区間として形成するとともに該区間を前記境界域の中央線に沿って截断してあり、併せて該未シール区間の外周囲に弱シール部域を形成してあることを特徴とする。
【０００６】  このような構成とすることによって、包装体のフランジ部を熱シールする際に気泡や充填物の液の飛沫が狭雑物として存在しても、これらは熱シール用押型の押圧によってフランジ部の前記未シール区間に追い込まれその空間に収容することができる。そのため熱シール後に気泡等が膨張してもこの膨張圧が直接熱シール部にこれを剥がすような大きな圧力として付加されることはなくなるとともにシール不良箇所もなくなるので、これを切離してフランジ付の包装体とする際に発生するピンホールの要因をなくすることができるのでよい。
【０００７】  この際、前記フランジ部が交差する十字路域の中央部にはその周囲を切離可能に截断された略菱形状の弱シール部を形成し、該弱シール部の周囲を略十字状の未シール域で囲み形成してあれば、十字路域に滞留する気泡によって各包装体の角部に生ずるシール不良乃至はピンホール発生を抑止できるのでさらによい。
また、切り落して廃棄する上記菱形部は弱シールしてあることは、散乱量も少なくできるので製造工程上好ましい。
なお、この際、十字状未シール域の尖端への長さは特に制限はなく、切離（モギリ）容易で外観がよいものとして形成すればよい。
【発明を実施するための最良の形態】
【０００８】  以下、本発明を図面に示す実施の形態を参照して説明する。
図１は本願第１発明小分け用包装体の一実施例を示す平面図であり、図２は図１のフランジ部が十字交差する部分の拡大図である。また、図３は図１のフランジ部の長辺部分の拡大図である。
図４は本願第２発明のフランジ付包装体の一実施例を示す斜視図であり、図５は本願発明に係るフランジ部を加熱シールする加圧用押型（シーリングダイス）部の断面説明図である。【０００９】  図１乃至図５において、本実施例における小分け用包装体１は、軟質ポリエチレン或いはアルミ等の一枚の平板状の可撓性部材で形成され複数の整列した内容物充填ポケット２，２，・・の開口部をポリエチレン或いはポリスチレン共重合体等の、折り曲げることができる程度の硬質材からなる平板状の蓋３で固着密閉されている。夫々の充填ポケット２，２，・・はフランジ４，４，・・で連接され、この連接部（境界域ともいう）にはその長手方向の所定区間にわたり前記可撓性部材と蓋３との未シール部区間５，５，・・を形成してある。【００１０】  また、該未シール部区間５，５，・・は前記境界域の中央線に沿って截断してあり、併せて該未シール部区間５，５，・・の外周囲に弱シール部域６，６，・・を形成してある。従って、未シール部５，５，・・の間の弱シール部はモギリ部９として形成される。フランジ部４，４，・・が交差する十字路域の中央部にはその周囲を切離可能に截断された略菱形状の弱シール部６’，６’，・・が形成され、該弱シール部６’，６’，・・の周囲を略十字状の未シール部域５’，５’，・・として形成してあり、該未シール部域５’，５’，・・と充填ポケット２，２，・・の開口部の固着シール部７，７，・・までの間を弱シール部６，６，・・としてある。【００１１】  上記のように固着シール部７，７，・・、弱シール部６，６，・・及び未シール部域５，５，・・のように各シール部のシール状態に差をつけるためには図５に示すように熱シール押型８の押圧面には段差を設けておき、これにより押圧時に硬質材の蓋３の裏面と可撓性部材で形成された充填ポケット２，２，・・の開口部周囲のフランジ４，４，・・の幅方向に押圧強度の差が生じるようにしてある。従って、フランジ４，４，・・の未シール部域５，５，・・は押型８による押圧力は全く付加されないことによって形成される。【００１２】  本願第２発明に係るフランジ付包装体１’は、例えば第１発明の上記実施例の小分け包装体１をそのフランジ４，４，・・の境界線の切断部で切離しモギリ部９をもぎり取ることによって得られる（図４参照）。
もぎり取ったフランジ付包装体１’はその蓋３’の四隅部と四辺に未シール部５’及び５を有した形状の製品となる。【００１３】  次に、本発明実施例の作用をまとめて説明する。
内容物を充填されたポケット２，２，・・はその開口部に蓋３を施され熱シール用押型８でフランジ部４，４，・・を押圧される。その際、蓋３の裏面とポケット２，２，・・間でフランジ部４，４，・・に挟まれ停留した気泡等（充填物が液状の加熱物の場合は蒸気も含む）は、熱シール用押型８の段差の高段部によってまず開口部周縁を強く押圧され順次にフランジ部４，４，・・の境界域方へ押圧する作用によって押圧力が全く付加されない未シール部域５，５，・・の方へ押しやられ一ヵ所に貯留される。従って、フランジ部４，４，・・の全面に気泡溜りが不規則に散在することはない。つまり、気泡溜りはポケット２の開口部の固着シール部７，７，・・から遠い位置（ピンホールが生じ難い位置）の未シール部５，５，・・にまとめて集められるとともに、未シール部５，５，・・はその中央線に沿って切断されているので、熱シール用押型８による押圧解除後において、その残留熱によって気泡等が膨張してもその圧力によって固着シール部７，７，・・が剥がされることはない。
即ち、フランジ部４，４，・・に気泡等の散在がなく外観に優れた小分け用包装体を得られるとともにフランジ付包装体として個別に小分けする際にもピンホールの生じないものにできる。
【発明の効果】
【００１４】  以上詳述したように、本願第１発明の小分け用包装体は、フランジを繋ぐ境界域に未シール部区間を形成する構造としてあるので、フランジ面のあちらこちらに空気溜りが散在することがない外観の美しいものにできるとともに気泡溜りの膨張によるシール剥がれ及びこれに起因するピンホールの発生をなくしたものにできる。
また、本願第２発明のフランジ付包装体はフランジの四隅及び四辺の端部に未シール部域が形成された構造となるので、フランジ周囲が比較的柔かいものとなりこれらを一括めにして袋詰等にして輸送してもフランジ部の衝接によって製品が傷損することなく保持できるとともに、一般市販のフランジ付包装体に混じっても手触りでも容易に識別可能なものとなる。
【図面の簡単な説明】
【００１５】
【図１】  本願第１発明の小分け用包装体の一実施例を示す平面図。
【図２】  図１のフランジ部の十字交差する部分の拡大図。
【図３】  図１のフランジ部の長辺部分の拡大図。
【図４】  本願第２発明のフランジ付包装体の一実施例を示す斜視図。
【図５】  本願発明に係るフランジ部を加熱シールする加圧用押型（シーリングダイス）部の断面説明図。
【符号の説明】
【００１６】１  小分け用包装体
１’フランジ付包装体
２  充填ポケット
３  蓋
４  フランジ
５  未シール部
５’十字状未シール部
６  弱シール部
６’菱形状弱シール部
７  固着シール部
８  熱シール用押型（シーリングダイス）
９  モギリ部
Ｔ  突起
Ｒ  折曲線
【図１】
2005035655.tif 000003
【図２】
2005035655.tif 000004
【図３】
2005035655.tif 000005
【図４】
2005035655.tif 000006
【図５】
2005035655.tif 000007